(57)【要約】【課題】本発明の目的は、４種のドットが整列したドットからなる表示画像および表示画面であって、グレーを表示したときにグレーバランスが崩れることがなく他の色も予期せぬカラーバランスのずれを生じることのないニュートラルな表示画像および表示画面を与えることである。【解決手段】４種の色のドットが整列したドットからなり、前記４種の色のうちの１色の明度が他の３色の明度より低い表示画像であって、前記３色のうちの異なる各２色のドット同士の隣接の頻度が実質的に等しい配列である表示画像。【特許請求の範囲】
【請求項１】
４種の色のドットが整列したドットからなり、前記４種の色のうちの１色の明度が他の３色の明度より低い表示画像であって、前記３色のうちの異なる各２色のドット同士の隣接の頻度が実質的に等しい配列である表示画像。
【請求項２】
４種の色のうちの３色が、ＣＭＹまたはＲＧＢである請求項１記載の表示画像。
【請求項３】
４種の色のうちの１色が、Ｋである請求項１または２記載の表示画像。
【請求項４】
３の倍数個×４の倍数個の整列したドットからなる基本パターンの繰り返しを含む表示画面であって、前記基本パターンが４種の色のドットからなり、前記４種の色のうちの１色の明度が他の３色の明度より低い表示画面であって、前記３色のうちの異なる各２色のドット同士の隣接の頻度が実質的に等しい配列である表示画面。
【請求項５】
３個×４個の合計１２個の整列したドットからなる基本パターンの繰り返しを含む表示画面である請求項４記載の表示画面。
【請求項６】
４個×６個の合計２４個の整列したドットからなる基本パターンの繰り返しを含む表示画面である請求項４記載の表示画面。
【請求項７】
基本パターン中のドットの数が、４種とも同じである請求項４〜６いずれか記載の表示画面。
【請求項８】
各ドットが、直交するＸＹ２方向に整列することを特徴とする請求項４〜７いずれか記載の表示画面。
【請求項９】
各ドットが、蜂の巣状に３方向に整列することを特徴とする請求項４〜７いずれか記載の表示画面。
【発明の詳細な説明】
【０００１】
【発明の属する技術分野】
本発明は、４種のドットが整列したドットからなる表示画像および表示画面に関する。
【０００２】
【従来の技術】
色相平面上で中心から離れた外周をほぼ三等分する位置にあり、相互に等距離にある三色の組をいわゆる三原色と呼ぶことができ、そのような三原色の例としては、鮮血のような赤をＲ、純粋で深い緑色をＧ、わずかに紫を含む濃い青をＢとする組ＲＧＢ、または、シアン色をＣ、マゼンタ色をＭ、レモンのような黄色をＹとする組ＣＭＹが有名であるがそれ以外にも同様な特徴を有す三原色を無数に設定することができる。また、ヒトの目に黒として認識される、明度の低い、ほぼ無彩色である色をＫで表す。
【０００３】
反射型カラー表示装置はＲＧＢやＣＭＹなどの三原色と、ヒトの目に黒くみえる、ほぼ無彩色Ｋの４色で構成することで表現域を広げることができる。表示画面の実装の際に、明るさを最大にするために、ドット間に仕切りを挿入せずに最大の密度で実装すると、各ドットが直接隣接することになり、ドットの境界の重なりや、光の回り込みなどの原因で混色が生じる。ドットの配列によって隣接するドットの色には規則性が生じ、特定の色の組み合わせの隣接の頻度が他の色の組み合わせの頻度より多かったり、特定の色が隣接することがない場合が生じる。その場合はグレーバランスが崩壊し、グレーに代わって特定の色が見えることになる。
【０００４】
たとえば同じ色のドットを一列に並べてＣＭＹＫの繰り返しで配列させると
ＣＣＣＣ
ＭＭＭＭ
ＹＹＹＹ
ＫＫＫＫ
ＣＣＣＣ
のようになるが、ＣとＭの境は青紫色に、ＭとＹの境は鮮やかな赤になるがＫとの境は全て黒になり、色相の変化は生じない。この結果ＣとＹの隣接による緑色は存在せず、この画面は全体として緑がやや不足した色合い、すなわちその補色である赤紫に寄った色合いとなる。
【０００５】
ＣＭＹの順序を変えてＭＹＣＫの繰り返しで配列させ
ＭＭＭＭ
ＹＹＹＹ
ＣＣＣＣ
ＫＫＫＫ
ＭＭＭＭ
のようにするとＣＭ隣接による青紫がないため、全体が黄色に寄って見える。
【０００６】
ＹＣＭＫの繰り返しで配列させ
ＹＹＹＹ
ＣＣＣＣ
ＭＭＭＭ
ＫＫＫＫ
ＹＹＹＹ
のようにするとＭＹ隣接による赤がないため、全体は緑色に見える。
【０００７】
また、解像度を高く見せる配列
ＣＭＣＭ
ＹＫＹＫ
ＣＭＣＭ
ＹＫＹＫ
は、ＣＭ隣接が８、ＣＹ隣接が８、ＭＹ隣接が０の頻度で三原色同士が隣接するため、ＭＹの混色に相当する赤が欠如し、その補色である青紫に見える。
【０００８】
解像度を高く見せる別の配列
ＣＭＹＫ
ＹＫＣＭ
ＣＭＹＫ
ＹＫＣＭ
は、ＣＭ隣接が４、ＣＹ隣接が８、ＭＹ隣接が４の頻度で三原色同士が隣接するため、ＣＹの混色である緑に見える。
【０００９】
このように、三原色が同じ頻度で表示されている場合は無彩色に見えることが期待されているにも拘わらず、グレーではなく特定の色に見えてしまう、グレーバランスの崩壊が生じる。
【００１０】
従来、黒Ｋを含む４色の画素からなる表示画面が、配列によってグレーバランスが崩壊する旨の記述も、特定の配列によってグレーバランスの崩壊を防ぐことができる旨の記述もなかった。
【００１１】
【発明が解決しようとする課題】
本発明の目的は、４種のドットが整列したドットからなる表示画像および表示画面であって、グレーを表示したときにグレーバランスが崩れることがなく他の色も予期せぬカラーバランスのずれを生じることのないニュートラルな表示画像および表示画面を与えることである。
【００１２】
【発明を解決するための手段】
本発明は、４種の色のドットが整列したドットからなり、前記４種の色のうちの１色の明度が他の３色の明度より低い表示画像であって、前記３色のドットのうちの異なる各２色同士の隣接の頻度が実質的に等しい配列である表示画像に関する。
【００１３】
また、本発明は、４種の色のうちの３色が、ＣＭＹまたはＲＧＢである上記表示画像に関する。
【００１４】
また、本発明は、４種の色のうちの１色が、Ｋである上記表示画像に関する。
【００１５】
また、本発明は、３の倍数個×４の倍数個の整列したドットからなる基本パターンの繰り返しを含む表示画面であって、前記基本パターンが４種の色のドットからなり、前記４種の色のうちの１色の明度が他の３色の明度より低い表示画面であって、前記３色のうちの異なる各２色のドット同士の隣接の頻度が実質的に等しい配列である表示画面に関する。
【００１６】
また、本発明は、３個×４個の合計１２個の整列したドットからなる基本パターンの繰り返しを含む表示画面である上記表示画面に関する。
【００１７】
また、本発明は、４個×６個の合計２４個の整列したドットからなる基本パターンの繰り返しを含む表示画面である上記表示画面に関する。
【００１８】
また、本発明は、基本パターン中のドットの数が、４種とも同じである上記表示画面に関する。
【００１９】
また、本発明は、各ドットが、直交するＸＹ２方向に整列することを特徴とする上記表示画面に関する。
【００２０】
また、本発明は、各ドットが、蜂の巣状に３方向に整列することを特徴とする上記表示画面に関する。
【００２１】
【発明の実施の形態】
三原色相互の隣接が同じ頻度になる配列とすることによって、このようなグレーバランスの崩壊を防ぐことができる。
【００２２】
すなわち、
（パターン１）
ＣＭＹＫ
ＹＣＭＫ
ＭＹＣＫ
のように、各ドットが、直交するＸＹ２方向に整列させた場合、三原色同士のドットの隣接は、単位あたり
ＣＭ隣接：５
ＭＹ隣接：５
ＹＣ隣接：５
の頻度になり、全体を表示させると偏りがないグレーを表示できる。
【００２３】
また、
（パターン２）
ＣＭＫＹ
ＹＣＭＫ
ＭＹＫＣ
ＣＭＹＫ
ＹＣＫＭ
ＭＹＣＫ
のように、各ドットが、蜂の巣状に３方向に整列させた場合、三原色同士のドットの隣接は、単位あたり
ＣＭ隣接：１１
ＭＹ隣接：１１
ＹＣ隣接：１１
の頻度になり、全体を表示させると偏りがないグレーを表示できる。
【００２４】
この例をより一般化すると、三原色をなす特定の有彩色の組に属す、任意の色をそれぞれ割り当てたドット１、２、３と、明度が他の３色の明度より低い、ヒトの目には黒として認識される、ほぼ無彩色のドットＡの単位配列で示すとき、前述のＣＭＹＫで表記したパターン１は、
（パターン３）
１２３Ａ
２３１Ａ
３１２Ａ
と表され、パターン２は、
（パターン４）
１３Ａ２
２１３Ａ
３２Ａ１
１３２Ａ
２１Ａ３
３２２Ａ
と表すことができる。
【００２５】
パターン３以外にも、基本パターンの配列は、各ドットが直交するＸＹ２方向に整列する配列の場合として、
2004219596.tif 000002
【００２６】
2004219596.tif 000003
などのように、三原色各３個からなる列１１１、２２２、３３３の並びを直交するＡの列ＡＡＡが横切る合計１２ドットからなるパターンが挙げられる。また、
【００２７】
2004219596.tif 000004
などのように三原色が１個ずつからなる列の右端の１個を左端にローテートした並びは３通りあるが、この３通りの列一つずつを任意の順に並べた行列にＡが３個からなる列を任意の位置に挿入した、合計１２ドットからなるパターンとその回転像及び鏡像を例として掲げることができる。
【００２８】
また、
2004219596.tif 000005
などのように、三原色１個ずつからなる列の右端の１個を左端にローテートした３通りの列一つずつを任意の順に２回並べた６行に１行おきに同じ位置にＡを挿入した、合計２４ドットからなるパターンとその回転像及び鏡像を例として掲げることができる。
【００２９】
また、各ドットが蜂の巣状に３方向に整列する場合の基本パターンには水平方向に整列するように記述した場合は、たとえば
2004219596.tif 000006
などのように、横に三原色が一定の順に並んだ行が３行とＡが３個からなる列からなる４行合計１２ドットのパターン、あるいは、
2004219596.tif 000007
などのように、三原色が１個ずつからなる列の右端の１個を左端にローテートした３通りの列一つずつを任意の順に並べた行列にＡ３個からなる列を任意の位置に挿入した４行の合計１２ドットからなるパターン、あるいは、
【００３０】
2004219596.tif 000008
などのように、三原色１個ずつからなる列の右端の１個を左端にローテートした３通りの列一つずつを任意の順に２回並べた６行に右よりの行と左よりの行ごとに同じ位置にＡを挿入した、合計２４ドットからなるパターンなどを本発明による、蜂の巣状配列の表示画面の基本パターンとして例示することができ、それらの例示のローテートの向きを逆にしたパターンや、鏡像、回転像は実質的に例示と同一のものと考えることができる。
【００３１】
また、たとえば４×１２や６×８からなる基本パターンの１つ以上を組み合わせて、３の倍数個×４の倍数個の整列したドットからなる基本パターンとすることができ、この基本パターンを繰り返しにより、三原色の、異なる色を表すドット同士の隣接の頻度が等しくなる配列をなす表示画面を構成することもできる。
【００３２】
【発明の効果】
本発明により、４種の色のドットが整列したドットからなり、前記４種の色のうちの１色の明度が他の３色の明度より低い表示画像であっても、グレーバランスの優れた表示画像を与えることができた。